【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報の可変表示を行なって表示結果を導出表示する可変表示部を備え、該可変表示部の表示結果が同一識別情報の組合せとなったときに遊技状態が遊技者にとって通常状態よりも有利な特定遊技状態に移行する遊技機であって、
前記特定遊技状態を移行させるか否かを決定するために用いられる数値データを更新する特定遊技状態決定用数値データ更新手段と、
前記同一識別情報の組合せの種類を決定するために用いられる数値データを更新する同一識別情報決定用数値データ更新手段と、
同一の種類の識別情報が揃っていない不揃い識別情報の種類を決定するために用いられる数値データを更新する不揃い識別情報決定用数値データ更新手段と、
前記特定遊技状態決定用数値データ更新手段により更新された数値データを用いて前記特定遊技状態に移行させないことが決定されたときに、前記不揃い識別情報を前記可変表示部に表示結果として導出表示させ、前記特定遊技状態決定用数値データ更新手段により更新された数値データを用いて前記特定遊技状態に移行させることが決定されたときに、前記同一識別情報決定用数値データ更新手段により更新された数値データを用いて決定された種類の前記同一識別情報の組合せまたは前記不揃い識別情報決定用数値データ更新手段により更新された数値データを用いて決定された種類の前記不揃い識別情報の組合せを、前記可変表示部に表示結果として導出表示させる表示結果導出表示制御手段とを備え、
前記特定遊技状態決定用数値データ更新手段により更新された数値データを用いて前記特定遊技状態に移行させることが決定されたときに、可変表示部の表示結果として前記不揃い識別情報の組合せが導出表示されたときでも前記特定遊技状態に移行させることを特徴とする、遊技機。
【手続補正２】
【補正対象書類名】明細書
【補正対象項目名】０００２
【補正方法】変更
【補正の内容】
【０００２】
この種の遊技機として従来から一般的に知られたものに、たとえば、複数種類の識別情報を可変表示可能な可変表示装置を有し、該複数種類の識別情報の表示結果が予め定められた特定の表示態様になった場合に、遊技者に有利な特定遊技状態（大当たり状態）に制御可能となる遊技機があった。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
この発明の主たる目的は、係る遊技機を改良した遊技機を提供することである。
【手続補正６】
【補正対象書類名】明細書
【補正対象項目名】０００６
【補正方法】変更
【補正の内容】
【０００６】
請求項１に係る発明は、各々が識別可能な複数種類の識別情報の可変表示を行なって表示結果を導出表示する可変表示部を備え、該可変表示部の表示結果が同一識別情報の組合せとなったときに遊技状態が遊技者にとって通常状態よりも有利な特定遊技状態に移行する遊技機であって、
前記特定遊技状態を移行させるか否かを決定するために用いられる数値データを更新する特定遊技状態決定用数値データ更新手段と、
前記同一識別情報の組合せの種類を決定するために用いられる数値データを更新する同一識別情報決定用数値データ更新手段と、
同一の種類の識別情報が揃っていない不揃い識別情報の種類を決定するために用いられる数値データを更新する不揃い識別情報決定用数値データ更新手段と、
前記特定遊技状態決定用数値データ更新手段により更新された数値データを用いて前記特定遊技状態に移行させないことが決定されたときに、前記不揃い識別情報を前記可変表示部に表示結果として導出表示させ、前記特定遊技状態決定用数値データ更新手段により更新された数値データを用いて前記特定遊技状態に移行させることが決定されたときに、前記同一識別情報決定用数値データ更新手段により更新された数値データを用いて決定された種類の前記同一識別情報の組合せまたは前記不揃い識別情報決定用数値データ更新手段により更新された数値データを用いて決定された種類の前記不揃い識別情報の組合せを、前記可変表示部に表示結果として導出表示させる表示結果導出表示制御手段とを備え、
前記特定遊技状態決定用数値データ更新手段により更新された数値データを用いて前記特定遊技状態に移行させることが決定されたときに、可変表示部の表示結果として前記不揃い識別情報の組合せが導出表示されたときでも前記特定遊技状態に移行させることを特徴とする。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】変更
【補正の内容】
【０００９】
［作用］
請求項１に記載の発明によれば、特定遊技状態決定用数値データ更新手段の働きにより、特定遊技状態を移行させるか否かを決定するために用いられる数値データが更新される。同一識別情報決定用数値データ更新手段の働きにより、同一識別情報の組合せの種類を決定するために用いられる数値データが更新される。不揃い識別情報決定用数値データ更新手段の働きにより、同一の種類の識別情報が揃っていない不揃い識別情報の種類を決定するために用いられる数値データが更新される。表示結果導出表示制御手段の働きにより、特定遊技状態決定用数値データ更新手段により更新された数値データを用いて特定遊技状態に移行させないことが決定されたときに、不揃い識別情報が可変表示部に表示結果として導出表示され、特定遊技状態決定用数値データ更新手段により更新された数値データを用いて特定遊技状態に移行させることが決定されたときに、同一識別情報決定用数値データ更新手段により更新された数値データを用いて決定された種類の同一識別情報の組合せまたは不揃い識別情報決定用数値データ更新手段により更新された数値データを用いて決定された種類の不揃い識別情報の組合せが、可変表示部に表示結果として導出表示される。そして、特定遊技状態決定用数値データ更新手段により更新された数値データを用いて特定遊技状態に移行させることが決定されたときに、可変表示部の表示結果として不揃い識別情報の組合せが導出表示されたときでも特定遊技状態に移行される。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】０１４６
【補正方法】変更
【補正の内容】
【０１４６】
請求項１に関しては、特定遊技状態決定用数値データ更新手段により更新された数値データを用いて特定遊技状態に移行させないことが決定されたときに、不揃い識別情報が可変表示部に表示結果として導出表示され、特定遊技状態決定用数値データ更新手段により更新された数値データを用いて特定遊技状態に移行させることが決定されたときに、同一識別情報決定用数値データ更新手段により更新された数値データを用いて決定された種類の同一識別情報の組合せまたは不揃い識別情報決定用数値データ更新手段により更新された数値データを用いて決定された種類の不揃い識別情報の組合せが、可変表示部に表示結果として導出表示される。そして特定遊技状態決定用数値データ更新手段により更新された数値データを用いて特定遊技状態に移行させることが決定されたときに、可変表示部の表示結果として不揃い識別情報の組合せが導出表示されたときでも特定遊技状態に移行されるため、はずれが連続して発生していても極力遊技者の遊技意欲が減退してしまうことを防止可能となる。
【手続補正１３】
【補正対象書類名】明細書
【補正対象項目名】０１４７
【補正方法】削除
【補正の内容】
【手続補正１４】
【補正対象書類名】明細書
【補正対象項目名】０１４８
【補正方法】削除
【補正の内容】